(57)【要約】複数のソースから得られる医療情報を表示するためのインターネットコンパチブルシステムおよび方法が提供される。患者に関連付けられた医療パラメータは通信ネットワークを介して収集され、まとめられかつデータベースに記憶される。ユーザ選択に応答するディスプレイ生成器が、取得された患者の医療データをタイムラインに沿った前以て決められているフォーマットにおいて含まれているディスプレイを生成するように動作する。表示された患者の医療データに関連しているデイ・インジケータはその時選択された日および少なくとも１つの以前の日およびその時選択された日に関連した後続の日を指示している。選択日インジケータは以前の日付または後続の日付を区別するための表示属性を有している。表示される患者医療データは、選択日範囲内に取得されかつタイムラインと一緒に所望の順序で表示される特別な医療パラメータを含んでいる。
2004533662.tif 000002
【特許請求の範囲】
【請求項１】
複数のソースから取り出された医療情報を表示するためのネットワークコンパチブルなシステムにおいてユーザインタフェース装置は
複数日を介して照合された患者医療データを通信ネットワークを介して取得するための通信プロセッサを有しており、
デイ・インジケータとタイムラインとを生成するための表示生成器を有しており、ここで
デイ・インジケータは着目日と、該着目日に関連して（ａ）前日および（ｂ）翌日の少なくとも１つとを指示する、前記患者医療データに関連付けられており、
ここで着目日指示は表示属性を有しており、かつ
タイムラインは着目日に関連付けられている医療データを識別するために使用されかつ該着目日に関連付けられている部分を有しており、該タイムライン部分は前記表示属性を使用して区別されており、
照合プロセッサを有しており、該照合プロセッサは前記取得された医療データのパラメータに優先順位を付けて、前記タイムラインと一緒に所望の順序で表示されるようにする
ユーザインタフェース装置。
【請求項２】
前記タイムラインは一日を越えた複数の期間をカバーすることができかつ日内タイムインターバルを含んでいる
請求項１記載の装置。
【請求項３】
前記表示属性は、（ａ）色、（ｂ）テキストまたはシンボル、（ｃ）テキストまたはシンボル・ジオメトリーまたはスタイル、および（ｄ）フォント・タイプの少なくとも１つを有している
請求項１記載の装置。
【請求項４】
前記色表示属性は、（ａ）背景色および（ｂ）テキスト色の少なくとも１つである
請求項３記載の装置。
【請求項５】
前記デイ・インジケータの前日または翌日指示は、前記着目日表示属性とは異なった表示属性を有している
請求項１記載の装置。
【請求項６】
前記異なった表示属性は前記着目日表示に関連付けられている色とは異なった色を有している
請求項５記載の装置。
【請求項７】
前記着目日に関連付けられている前記タイムライン部分は該タイムラインの他の部分とは色を用いて区別されている
請求項１記載の装置。
【請求項８】
前記通信ネットワークはインターネットまたはイントラネットコンパチブルネットワークの少なくとも１つである
請求項１記載の装置。
【請求項９】
前記表示生成器はインターネットブラウザである
請求項１記載の装置。
【請求項１０】
複数のソースから取り出された医療情報を表示するためのネットワークコンパチブルな方法において、
ある患者に関連付けられている医療パラメータを複数日にわたって取得し、
前記取得された医療パラメータのいくつかに優先順位を付けて、着目日と前日および翌日の少なくとも１つとに関連付けられているタイムラインに沿って所望の順序で表示されるようにし、かつ
着目日に関連付けられているタイムラインの部分に沿って表示されるように属性を割り当てて、着目日に関連付けられている前記医療パラメータが区別されるようにする
というステップを有している方法。
【請求項１１】
更に、前記表示の第１の領域に着目日のインジケータを設けるというステップを有しており、
該インジケータは着目日を前日または翌日から識別するための色属性を有している
請求項１０記載の方法。
【請求項１２】
前記色属性は背景色を有している
請求項１１記載の方法。
【請求項１３】
前記タイムラインは一日を越える複数期間をカバーしておりかつ日内タイムインターバルを含んでいる
請求項１１記載の方法。
【請求項１４】
更に、前記表示の第１の領域にスクロール可能なウィンドウを設けて、複数日から着目日が選択されるようにするステップを有している
請求項１１記載の方法。
【請求項１５】
更に、前記スクロール可能なウィンドウに，前記前日および翌日の少なくとも１つの関連付けられた色属性を設けて、着目日に関連付けられている色属性とは区別できるようにするステップを有している
請求項１４記載の方法。
【請求項１６】
前記医療パラメータをインターネットまたはイントラネットコンパチブルなネットワークの少なくとも１つを介して取得する
請求項１５記載の方法。
【請求項１７】
複数のソースから取り出されたある患者に関連付けられている医療データを表示するためのインターネットコンパチブルな方法において、
該医療データを複数日にわたって取得し、
該取得された医療データのいくつかに優先順位を付けて、ユーザ選択日と前日および翌日の少なくとも１つとに関連付けられているタイムラインに沿って所望の順序で表示されるようにし、かつ
第１の領域にスクロール可能なウィンドウを表示し、該ウィンドウには前記ユーザ選択日を含んでいる複数日のサブセットが少なくとも１つ入っており、
前記ユーザ選択日に関連付けられている属性を割り当てて、前記ユーザ選択日が前記複数日の他のすべての日から区別されるようにし、かつ
前記ユーザ選択日に関連付けられているタイムラインの部分に沿った表示のために同じ属性を割り当てて、該ユーザ選択日に関連付けられている前記医療パラメータが区別されるようにする
というステップを有している方法。
【請求項１８】
属性を割り当てるステップは色属性を割り当てることを有している
請求項１７記載の方法。
【請求項１９】
色属性を割り当てるステップは背景色を設けることを有している
請求項１８記載の方法。
【請求項２０】
前記タイムラインは一日を超える複数期間をカバーしておりかつ日内タイムインターバルを含んでいる
請求項１７記載の方法。
【発明の詳細な説明】
【０００１】
関連出願に対するクロス・リファレンス
本願は、仮の ＵＳ 特許出願、Ｕ． Ｓ． Ｓｅｒｉａｌ Ｎｏ． ６０／２４９５７７（２０００年１１月１７日付け）の利益を請求する。
【０００２】
発明の分野
本発明は、医療情報の処理および表示、更に特定すればネットワーク環境における患者の医療データの処理および表示に関する。
【０００３】
発明の背景
病院およびその他のヘルスケア環境において、患者に関連した種々様々な医療データを収集しかつ表示することが必要であるまたは望ましいことが多い。この種の情報は、ラボラトリイの検査結果、ケアユニットデータ、診断および処置プロシージャ、およびベンチレータ情報、付き添い医師またはヘルスケアケア担当員、および所定の患者に関連付けられているカレンダー情報を含んでいることができる。今日、この種の情報はしばしば、患者のベッドサイドまたはアテンダントステーション（付添人の詰めている部屋）に取り付けられているチャートを介して提供されるようになっている。しかし、この種の物理的なチャートは見にくく、ラボラトリイ検査結果のような、患者に関連付けられている最新の医療情報を含んでいないことが多い。この問題は、患者が病院に滞在している間に集められる膨大な量の患者のデータのために悪化する一方である。年代記的なまたはタイムライン情報を含んでいる患者の医療データを表示するための伝統的な紙を使っているチャート（ペーパー・ベースド・チャート）は特に見にくく、系統立てて整理するのは難しくかつ頁をなくしたり、入れ違えたりし易い。この種のチャート情報の時間順序に関連した付加的な問題は、医療データがしばしば複数のソースからしかも種々異なった時刻に到来するという事実から生じる。更に、今日のチャートは、ケアしようとする人が患者に関連した多数の医療検査の結果またはその他のデータに容易にアクセスし、これを考察しまたは判断できるようにするには適していない。それだから、複数のソースから取り出されるタイムライン情報を含んでいる患者の医療情報にアクセスし、操作しかつ表示するための一層迅速で、一層効果的でしかもユーザが使い易い手段が必要になってくる。
【０００４】
発明の概略
複数のソースから取り出された医療情報を表示するためのインターネットコンパチブルシステムが提供される。ある患者に関連付けられている医療パラメータは通信ネットワークを介して収集され、照合されかつ関連データベースに記憶される。ユーザ選択に応答する表示生成器は、取得された患者の医療データをタイムラインに沿って前以て決められているフォーマットで含んでいる表示を生成するように動作する。表示された患者医療データに関連付けられているデイ・インジケータは着目日と、該着目日の前日および翌日の少なくとも１つとを指示している。着目日インジケータは、前日または翌日間を区別するための表示属性を有している。タイムラインはこの表示属性を使用して、着目日に関連付けられているタイムライン部分を前日または翌日と区別するようにしている。表示される患者医療データには、選択日範囲内で取得されかつ所望の順序でタイムラインと一緒に表示されている特定の医療パラメータが含まれている。
【０００５】
通信ネットワークは患者医療データを複数のソースから種々のネットワークプロトコルを使用して取得する：この種のプロトコルは、ローカルおよびワイドエリアネットワークおよび周辺医療デバイスとインタフェースをとるＡＳＴＭおよびＨＬ７プロトコルを含んでいる。表示される患者医療データには、ユーザ選択日を含んでいる前以て決められている日範囲内で取得された、心臓学、ラボ結果、血流力学、ベンチレーションおよび神経学のような所定の医療カテゴリーに関連付けられている特定の医療パラメータが含まれている。表示にはスクロールバーが含まれていて、所定の表示領域内に適合できる以上に長い、表示された医療パラメータデータセットを閲覧できるようにしている。ユーザインタフェース装置は更に、ユーザ選択可能なタイムライン区分弁別器を含んでいて、表示されるタイムラインが１５分区分から８時間区分までの幅を持っている前以て決められている間隔でスケーリングされるようになっている。
【０００６】
別の観点において、本発明のシステムは患者に関連付けられている付加的な医療情報を連続的に取得して、複合ウィンドウで表示するようにしている。医療データは表またはグラフィカルフォーマットで表示されかつ選択日範囲内に取得されかつタイムラインに沿って所望の順序でフォーマット化されている特定の医療パラメータを含んでいる。表示は更に、選択日パラメータデータをタイムラインの相応する部分に関連付ける色属性を含んでいて、日境界を越える日が区別されるようにしている。このことは、トレンド解析および患者パラメータデータの評価を最適化する仕方で表示可能な患者情報のユーザ選択可能な履歴を自動的に設定するのに有利である。
【０００７】
図面の簡単な説明
各図において、ここでは対応する部分を指示するために対応する参照符号が使用されている：
図１は、本発明の原理に従っている、種々のデバイスを備えている通信ネットワークのブロック線図を示しており、
図２は、本発明のシステムのフローチャートを示しており、
図３は、本発明の１つの観点による、医療パラメータデータをユーザによって選択可能なタイムラインに沿った表形式フォーマットでどのように表示するかの１つの手法を示しており、
図４は、本発明の１つの観点による、医療パラメータデータをユーザによって選択可能なタイムラインに沿った図形式（グラフィカル）フォーマットでどのように表示するかの１例を示しており、
図５は、本発明による機能性を有しているサーバーのブロック線図を示している。
【０００８】
詳細な説明
図１には本発明の原理による通信ネットワークの例がブロック線図にて示されている。図１に示されているように、通信ネットワーク１はＩＰ（Ｉｎｔｅｒｎｅｔ Ｐｒｏｔｏｃｏｌ）にコンパティブルなネットワークによって表されている。このネットワークは、相互に接続されているローカルエリアネットワークおよびワイドエリアネットワークの階層を有している。本実施例の病院ネットワークまたは医療ネットワークはＩＰコンパティブルネットワークであるが、他のタイプのネットワーク、これらに制限されるわけではないが、例えば光ネットワークまたは無線ネットワーク、または他のコンピューティングプロトコル、これらに制限されるわけではないが例えばＸ． ２５やフレームリレーやＩＢＭＳＮＡ等を使用してもよいということに注意されたい。更に、例として説明に供されるネットワークは階層ネットワークであるが、このことは本発明によって必須のことではない。ネットワーク上のデバイス間の通信接続を提供するあらゆるタイプのネットワークアーキテクチャが使用可能である。
【０００９】
図１に示されているように、例示された階層ネットワーク１の第１レベルは、メディカルインターフェースバス（Ｍｅｄｉｃａｌ Ｉｎｔｅｒｆａｃｅ Ｂｕｓ＝ＭＩＢ）２を有している。ＭＩＢは医療デバイスをローカルに接続する周知の医療技術分野の標準である。図１に示されているようにＭＩＢ２は典型的には、患者の病室内の医療デバイスを相互接続するのに使用されて、特定の患者に対するケアもしくは治療を管理し、特定の患者を監視するものである。様々な医療デバイスがＭＩＢ２を介して接続される；例えば図１に示されている例では、ベンチレータ６ａ、ＩＶ（＝Ｉｎｔｒａｖｅｎｏｕｓ， 静脈）ポンプ８または他の医療装置１０が含まれている。
【００１０】
ＭＩＢ２は一般的に、第２レベルのＬＡＮネットワーク３に、イサーネット・コンパティブルＬＡＮネットワーク３へのインターフェースであるインターフェースドッキングステーション（Ｉｎｔｅｒｆａｃｅ Ｄｏｃｋｉｎｇ Ｓｔａｔｉｏｎ＝ＩＤＳ）デバイス１２を通じて接続されている。より上位のレベルであるＬＡＮ３は例えば、Ｓｉｅｍｅｎｓ Ｍｅｄｉｃａｌ Ｓｙｓｔｅｍ によって販売されているインフィニティＬＡＮである。このより上位のレベルであるＬＡＮ３は一般的に、必須ではないが、病院内の個々の部門によって機関もしくは組織の規模に応じて使用される。これら部門とは例えば集中治療部門または外科部門である。
【００１１】
図１には示されていないが、１つ以上のＭＩＢが第２レベルＬＡＮ３に接続されると、ＬＡＮ３を介して１人以上の患者を監視または治療することができる。さらに医療デバイスを上位レベルであるＬＡＮ３に直接接続することも可能である。例えば図１に示されているように、ベンチレータ６ｂおよび麻酔システム１３はＭＩＢを介さなくてよく、直接的にＬＡＮ３に接続されている。
【００１２】
さらにＬＡＮ３はホスピタルＬＡＮの中枢４に相互接続される。ここでこの中枢ネットワーク４はイーサネットコンパティブルである。この中枢４は病院機関または医療機関内の様々な部門間の通信を行う；例えば病院管理システム１５をラボラトリ（ＬＡＢ）システムシステム１７と接続する。さらにホスピタルＬＡＮ４はリモートアクセスゲートウェイ１９を有する。このリモートアクセスゲートウェイは例えば遠隔の医者のオフィス２３または遠隔のケアサイト２４等からのセキュアなリモートアクセスを、ネットワーク１上の様々なシステムおよびデバイスへ例えばインターネット２９を介して提供する。択一的に、遠隔のサイトはダイヤルアップ電話ポート、ＡＤＳＬまたは他のタイプのプライベートコネクション等を介してリモートアクセスゲートウェイ１９に直接的にアクセスすることもできる。リモートアクセスゲートウェイ１９は以下で示すように、図１に示されたような周知のスタンドアローン形ではなく、サーバー２０の一部であってもよい。
【００１３】
本発明の原理によれば、中央のサーバー２０はＬＡＮ３上に設けられており、ＬＡＮ３またはホスピタルＬＡＮ４に接続されている周辺医療デバイスまたはファシリティーからのデータを収集および処理するようになっている。これらには、例えばＨＬ７を通って接続されているＬＡＢシステム１７を介して供給されるラボ結果のような医療パラメータが含まれている。心臓学、血流力学、ベンチレーションおよび神経学カテゴリーデータを含んでいる付加的な医療パラメータデータも、図１に示されているデバイスのようないくつかの医療デバイスから取得することができかつ例えばＡＳＴＭメッセージングのような種々のインタフェースプロトコルを使用してサーバー２０において得るようにしてもよい。ラボラトリー検査結果を含んでいる、所定の患者に関連付けられている取得された医療パラメータは、ネットワーク１上の医療デバイスから表示およびコントロールのために取得される。サーバー２０がネットワーク１の階層のいずれのレベルに存在してもよいことは当技術分野の技術者は容易に分かるであろう。なぜならＬＡＮ（例えば３または４）の種々異なっているレベルもすべて、また図１の遠隔のサイトも相互に接続されているからである。サーバー２０の例は、Ｓｉｅｍｅｎｓ Ｍｅｄｉｃａｌ Ｓｙｓｔｅｍ によって販売されているプロメテウスサーバー（Ｐｒｏｍｅｔｈｅｕｓ ｓｅｒｖｅｒ）である。このサーバーは例えば、ＭｉｃｒｏｓｏｆｔＮＴオペレーティングシステムを動作させることが可能なコンピューターシステム等によってホストされる。
【００１４】
図２にはフローチャートの形において、本発明によりｗｅｂブラウザに常駐しているユーザインタフェースソフトウェアと関連してサーバー２０によって実行されることができる機能が示されている。サーバー２０はまず、ステップ２０２で示されているようにネットワーク上のデバイスとの交信を確立する。このことは例えば、この分野ではよく知られているように、より高度なアプリケーション・レイヤプロトコルと関連して、ネットワーク１上のそれぞれのデバイスに対してＩＰプロトコルおよび既知のＩＰデバイスアドレスを使用して行われる。
【００１５】
サーバー２０と他のデバイスとの間に１つの通信が確立されると、サーバー２０は、監視されているパラメータおよび種々のデバイスのために選択されているセッティングを取得開始する。この情報はデータベースに記憶される。前に述べたように、この種のパラメータデータはＬＩＳ１７を有するＨＬ７インタフェースを介して、または図１において説明したＡＳＴＭまたはＭＩＢポイント・オブ・ケア（ｐｏｉｎｔ ｏｆ ｃａｒｅ（ＰＯＣ））メディカルデバイスを介して獲得するようにしてもよい。
【００１６】
心臓病学、ラボ結果、血流力学、ベンチレーションンおよび神経学カテゴリーのデータを含んでいる医療パラメータデータは連続的にかまたは周期的に取得されかつ所定の患者に照合されて、サーバー２０内の関連データベース２５に記憶される。データベース２５は、Ｍｉｃｒｏｓｏｆｔ ＳＱＬ ｓｅｒｖｅｒ のような関連データを記憶するために使用されるタイプのものであってよい。取得されたデータはタイム・スタンプ情報かまたは取得されたデータに関連付けられている日付および時刻を指示している他の情報を含んでいるものであってもよい。
【００１７】
本発明の１つの観点において、ユーザは図１に示されているように、Ｍｉｃｒｏｓｏｆｔ Ｗｉｎｄｏｗｓ ｃｏｍｐａｔｉｂｌｅ ＰＣ ２６ または Ｗｉｎｄｏｗｓ ＮＴ ｃｏｍｐａｔｉｂｌｅ ＰＣ ３９、または所定の患者に関連付けられている心臓病学またはラボ結果を含んでいる医療パラメータデータを閲覧するためにｗｅｂブラウザプログラム（例えば Ｍｉｃｒｏｓｏｆｔ Ｉｎｔｅｒｎｅｔ Ｅｘｐｌｏｒｅｒ または Ｎｅｔｓｃａｐｅ Ｎａｖｉｇａｔｏｒ 等）のようなメニュー生成プログラムを実行することができるいずれか他のコンピュータを使用することができる。すなわち、ユーザはいずれかのコンピュータのｗｅｂブラウザを使用して、その間に、サーバー２０に対して通信コネクションを作って、取得されかつデータベース２５に記憶されている情報をリクエストしかつ閲覧することができる。これは有利である。というのは医師は、例えば遠隔の医師のオフィス２３から医療パラメータデータを、専用の端末にアクセスすることなしに手に入れることができる。勿論、ユーザはキーボードおよび／またはマウスまたはいずれかその他のユーザインタフェースデバイスを使用して、この分野ではよく知られているように、ユーザコンピュータ上でユーザ選択またはリクエストを入力することができる。ユーザインタフェースは特別な日選択に答えてタイムラインに沿って医療データを表示するための機能を含んでおり、その際表示されたデータは日境界を区別しかつ表示されたデータをフォーマット化するための属性を有している。
【００１８】
それ故にサーバー２０は、医療データを照合しかつフォーマット化して、グラフィカルユーザインタフェース（ｇｒａｐｈｉｃａｌ ｕｓｅｒ ｉｎｔｅｒｆａｃｅ＝ＧＵＩ）を有しているｗｅｂブラウザにデータを表示するための、例えばＨＴＭＬ（ＨｙｐｅｒＴｅｘｔ Ｍａｒｋ−ｕｐ Ｌａｎｇｕａｇｅ）プログラミング言語とコンパチブルであるようにすることができる。サーバーは、リクエストを行うためにユーザのｗｅｂブラウザから来る、例えばＨＴＴＰ（ＨｙｐｅｒＴｅｘｔ Ｔｒａｎｓｆｅｒ Ｐｒｏｔｏｃｏｌ）コマンドにも応答する。図５には、患者の医療情報を含んでいるデータベース２５を管理し、照合し、サーチしかつ更新するように動作するサーバー２０の一例がブロック線図にて示されている。ここで説明する種々の機能を実施するためのインストラクションを実行するように動作するプログラムエレメントまたはプロセッサは通信処理モジュール２５０２を含んでおり、これは監視されるパラメータと、患者群に割り当てられている群識別子を含んでいる患者データをネットワークから取得しかつ情報を照合してデータベース２５に記憶する。ナビゲーション照合プロセッサ２５０４はウェブブラウザと関連して動作しかつ生成器ソフトウェアを表示してユーザに対して表示するようにパラメータを設けかつこれらに優先順位を付けて、ユーザがユーザインタフェースを介してユーザによって選択された種々のアプリケーションを通してナビゲーションされるようにする。ネームサーバープロセッサ２５０６は独自の識別子（ｉｄｅｎｔｉｆｉｒｅｓ（Ｉｄｓ））をシステムネットワークに接続されているそれぞれのノードと、システムを介して患者情報をトラッキングしかつ更新するためにシステム内のそれぞれの患者とに対応付ける。入出力データおよびコントロール信号は、種々のプロセッサ間で通信するために並びにデータベース２５およびサーチエンジン２３およびネットワークを通信線路２５１０を介してインタフェーシングするために使用される。
【００１９】
図３には、特定の監視されるパラメータに関連付けられている医療パラメータデータをどのようにして、検索しかつユーザコンピュータ２６のｗｅｂブラウザ上に表示するのかの例が示されているが、これは本発明により、パラメータデータは複数日にわたっているタイムラインに沿って表示されていて、システムのユーザがトレンド情報を閲覧することができるようになっている。図示されているように、ディスプレイウィンドウ３００はナビゲータパネル部分３１０と結果表示ウィンドウ部分３２０とを有している。ディスプレイウィンドウ３２０は、所定の患者に関連付けられている特定の医療パラメータデータにアクセスしたいというユーザのリクエストに応えてタイムライン３２４に沿って前以て決められているフォーマットで表示される特定の医療パラメータデータ３２２を含んでいる。図３に示されている実施例において、医療パラメータデータはディスプレイウィンドウ３２０において、ユーザがバイタルパネル３０１からチャートアイコン３０５を選択するとき、表形式またはチャートフォーマットで表示される。全体が３１２で示されておりかつ心臓病学（Ｃａｒｄｉｏｌｏｇｙ）、ラボ結果（Ｌａｂ ｒｅｓｕｌｔｓ）、血流力学（Ｈｅｍｏｄｙｎａｍｉｃ）、ベンチレーション（Ｖｅｎｔｉｌａｔｏｒ）および神経学（Ｎｅｕｒｏｌｏｇｙ）のカテゴリーの１つに相応するアイコンの１つを選択するとユーザはデータベースのサーチをリクエストして、選択されたカテゴリー内の特定の医療パラメータを得ることができるようになる。患者の病院滞在期間に累積する膨大な量の患者データのために、サーチ判断基準に合致する所望しないほど多量の医療パラメータがユーザに対して表示される可能性がある。有利には、本発明のユーザインタフェース装置は更に、表示される医療パラメータデータをユーザ選択されたデータ範囲に相応するデータのサブセットに制限する。これらはそれからタイムライン３２４に沿って表示される。
【００２０】
表示ナビゲータパネル３１０はスクロール可能な、ユーザ選択デイ・インジケータパネル３１５を有している。このパネルは、患者が該患者に関連付けられているデータベース情報により入院していた全日数（すなわちカレンダー日付）を含んでいる。実施例において、５日間（１，２，３，４，５）が、表示インジケータパネルのそれぞれの側に左向きおよび右向きの矢印のついたボタンの形で埋め込まれている双方向コントロールセレクタ３１７を備えているデイ・インジケータパネル３１５を介して表示されて、ユーザが複数日の全体の範囲をスクロールできるようになっている。デイ・インジケータパネルの日選択可能範囲内の特定の日がユーザにより選択されると、サーチエンジンがデータベースから当該患者に対する次の医療パラメータデータすべてを検索する。すなわち選択日、直接先行する日、および直接後に続く日に関連付けられているパラメータデータであって、他のサーチ判断基準（例えば医療パラメータデータのカテゴリー）のすべてに合致するものである。
【００２１】
図３に示されているように、医療パラメータデータ３２２はデイ・インジケータパネル３１５内の特定の日（例えばＤａｙ５）のユーザ選択に応答して日境界を越えて表形式においてユーザに対して表示される。ユーザインタフェースはタイムライン表示３２４を生成するように動作する。タイムライン表示は着目日または選択日に関連付けられている第１の部分３２４ａと前日または翌日に関連付けられている第２の部分３２４ｂとを有している。特別な実施例において、タイムライン３２４は等しい持続時間の前以て決められているインターバルＴにセグメント化されている。これらのインターバルはユーザ選択可能な、１５分、１時間、２時間、４時間または８時間というインクリメントにおいてスケーリング可能であり、このことはスケールパネル３１９のユーザ選択に基づいておりかつウィンドウ３２０に表示されるようにフォーマット化されている。タイムライン表示は時間／分（ｈｈ：ｍｍ）フォーマットの形の指示を含んでおり、これによりユーザは特定の相応に表示されたパラメータデータに関連付けられている特定の時間を識別すると同時に、ユーザは患者の医療データに関連付けられているトレンドを閲覧または決定することができる。検索された医療データは優先順位を付けられ、照合されかつサーチ判断基準に従って所望の順序で表示される。図３に図示の実施例において、ハートレート（Ｈｅａｒｔ Ｒａｔｅ＝ＨＲ）、ＰＶＣ／ｍｉｎ，％Ｐａｃｅ、ＳＴＩ、ＳＴＩＩ、ＳＴＩＩＩ およびＳｔａＶＬを有している医療パラメータ３２２ａ−３２２ｇが第１のカラムに沿って順に下へと表示されており、一方パラメータのそれぞれに関連付けられている相応するデータは時間順次に水平方向にまたは行に沿って表示されている。データはタイムライン表示と整列されていて、時間を表す期間と所定のカラムのパラメータデータとが相関をとられるようになっている。ｗｅｂブラウザを介して表示される右側の大抵のデータは最も最近の医療パラメータデータを表している。システムは所定のカラムのユーザ選択に応答してカーソルの位置に関連付けられているデータおよび時間を表示するために別個のカーソルタイム表示ウィンドウ３１１を設けるように動作可能である。
【００２２】
ディスプレイの底部に位置決めされている水平方向のスクロールバー３３０によりユーザは、例えばインターバルスケーリングのために、閲覧可能なディスプレイ内には入ることができない付加的なタイムラインデータを閲覧することができる。垂直方向のスクロールバー（図示されていない）によりユーザはユーザインタフェースの頁限界を超えて拡がっている行を有している付加的な医療データを閲覧することができる。類似した手法で、ユーザインタフェース装置は頁アップ／ダウンフィーチャを含むようにすることができ、そうすればユーザはディスプレイ３００上に閲覧可能に表示される情報の特定の頁を迅速にアクセスすることができる。
【００２３】
本発明のユーザインタフェース装置の部分として、ウィンドウ３００をユーザに対して表示するために動作するソフトウェアモジュールまたはウィザードは、表示属性をデイ・インジケータパネル３１５内の着目または選択日に割り当てるためのロジックを含んでいる。本発明の実施例において、表示属性は色を有しているが、例えばテクストまたはシンボル、幾何学形状またはスタイル、またはフォントタイプであってもよい。図３の実施例に示されているように、選択日（すなわちＤａｙ５）は青い背景を有しており、一方医療パラメータデータが存在している直接隣接する日（例えばＤａｙ４）は黒い背景を持って表示されている。データが表示されていない日々（例えばＤａｙｓ１、２、３）は白い背景を持って表示されている。デイ・インジケータパネル３１５に隣接しているテキストエリア３１８は、その時点で選択された日に関連付けられているカレンダー日付情報を表示している。実施例において、カレンダー日付情報は週（例えば日曜日、土曜日）、月および日付けの特定の日を含んでいる。有利には、テキストエリア３１８に関連付けられている背景はその時点で選択された日と同じ表示属性（例えば同じ青色）を有してる。
【００２４】
その時点で選択された日に関連付けられているタイムライン表示部分３２４ａは前日および／または翌日に関連付けられている部分３２４ｂとは表示属性の使用して区別できるようになっている。実施例において、タイムライン表示の背景はデイ・インジケータパネルの、相応の日に対する背景にマッチしている。例えば、図３に示されているように、表示部分３２４ａはその時点で選択された日の青い背景属性に相応して青い背景属性を含んでおり、一方表示部分３２４ｂは翌日（すなわちＤａｙ５）の黒の背景属性に相応して黒い背景を含んでいる。上述したように、患者の滞在の長さの間存在する可能性がある膨大な量の患者データがあるとすれば、全部のデータセットをブラウザにダウンロードすることは実現可能ではない。同様に、閲覧されるデータの連続性のある性質のために、ユーザが一日のデータをいちどきに閲覧できるようにしてもも非常に効率悪い。本発明のユーザインタフェース装置は、単一日（すなわち２４時間の期間）を越えて拡がっているスクロール可能なウィンドウディスプレイを設け、一方においてユーザが所望の日を選択することを可能にしかつユーザがタイムライン上に表示されている日々を区別することができるようにすることによって先に述べた難点を克服する。
【００２５】
図４には、本発明のｗｅｂイネーブルドＧＵＩシステム内の択一選択的なコンポーネントディスプレイが示されている。これは、検索されかつユーザコンピュータ２６のｗｅｂブラウザ上に複数日にわたって拡がるタイムラインに沿って表示される特定の監視されるパラメータデータに関連付けられている医療データをグラフィカルフォーマットで表示している。簡略にするために、図３に関して示されておりかつ説明した同じコンポーネントに関連した同じ機能の説明は省いてある。
【００２６】
図４にはディスプレイウィンドウ４００が示されており、これはナビゲータパネル部分３１０および結果表示ウィンドウ部分３２０を有している。結果表示ウィンドウ部分は、所定の患者に関連した特定の医療パラメータデータにアクセスしたいというユーザのリクエストに答えて、タイムライン３２４に沿ってグラフィカルフォーマットで表示される医療パラメータデータ３２２を含んでいる。図４に図示の実施例において、ユーザがバイタルパネル３０１からグラフィカルアイコン３０６を選択しかつ更に、全体が３１２で示されておりかつ心臓病学、ラボ結果、血流力学、ベンチレーションおよび神経学カテゴリーの相応する１つに関連した特定の医療パラメータに相応してアイコンの１つを選択するとき、医療パラメータデータはグラフィカルフォーマットにおいて表示される。図３と関連して上に説明したように、デイ・インジケータパネル３１５のユーザ選択が行われると、選択された日、直接先行する日、および直接後に続く日に関連付けられ、またすべて他のサーチ判断基準（例えば医療パラメータデータのカテゴリー）に合致している、所定の患者に対するすべての医療パラメータデータが検索されかつ表示されることになる。
【００２７】
図４に示されているように、特定の医療パラメータデータを表示するためのユーザインタフェースディスプレイはグループ化のためにある種のパラメタを照合するように動作して前以て決められている判断基準に従って一緒に所望の順序で表示されるようにしている。例えば、図４に図示の実施例では、２つのディスプレイまたはトレンドパネル３２５，３２７が設けられており、これらはそれぞれ、スクロールバー３３０の上方のディスプレイウィンドウの底部に配置されている水平方向のタイムライン３２４に沿って示されているように時間の関数として特定の患者医療データのグラフィカル表現を含んでいる。図示されているように、それぞれのトレンドパネル３２５，３２７は、グラフに沿って表示するために医療パラメータの最大で４つのトレンドまたはセットを有している。トレンドパネルのそれぞれの上方に配置されているディスプレイウィンドウ３２２ａ，３２２ｂ，…，３２２ｇは、データがタイムラインに沿ってグラフィカル表示されている相応の医療パラメータのそれぞれを識別している。それぞれのディスプレイウィンドウは、相応するグラフィカルデータに関連付けられている同じ属性に相応する特定の属性（色属性のような）を有している。例えば、監視されるハートレート（ＨＲ）パラメータデータを表しているディスプレイウィンドウ３２２ａは赤い背景を有している。これはＨＲパラメータデータの赤色のグラフィカル表現に１対１の仕方で対応しているようにするためのものである。その他のディスプレイウィンドウはこれら特定のグラフィカルデータの同じ色属性に関連付けられている相応する別個の色属性を有していて、ユーザがパラメータトレンドを区別することができるようになっている。フォント、スタイル、ジオメトリーおよび類似のものを含んでいるその他の属性も考えられる。
【００２８】
パラメータ範囲表示セット３３１，３３２ではそれぞれ、相応するディスプレイウィンドウパラメータ３２２ａ，３２２ｂ，…，３２２ｇのそれぞれに関連付けられている最小（すなわち３３１ａ，３３１ｂ，…，３３１ｇ）および最大（すなわち３３２ａ，３３２ｂ，…，３３２ｇ）範囲が設けられている。特別な実施例において、範囲表示セットには、それぞれグラフィカルパラメータデータウィンドウの上および下に左側に配置されている最大および最小範囲限界３３２，３３１を備えている。図４に示されているように、それぞれのパラメータに対する最大および最小のスケール限界は区別できる色および特定の順序で表され、その際パラメータラベルが貼られている。
【００２９】
もう一度図２を参照するに、本発明によれば、病院に入った所定の患者に関連付けられている医療パラメータデータをユーザがリクエストするとサーバー２０でサーチエンジンがサーチしかつ前以て決められているサーチ判断基準に合致するデータパラメータすべてを検索する。ユーザリクエストには、前以て決められているフォーマットにおけるおよび選択日範囲におけるデータの照合および表示に関連したパラメータも含まれている。表形式のフォーマットがリクエストされると（ステップ２１０）、ユーザインタフェースソフトウェアロジックは検索されたデータをカラム仕様で表示されるように照合しかつ優先順位をつける（ステップ２１０）。その他の場合は、ユーザインタフェースソフトウェアは検索されたデータをグラフィカル仕様で表示するように照合しかつ優先順位をつける。更に、表示されるべきデータパラメータに関連付けられているタイムライン表現が生成されかつフォーマット化されて（ステップ２１４）データと一緒に表示される。ユーザインタフェース内のソフトウェアロジックはタイムライン、表示テキスト領域、およびユーザ選択インジケータパネルに対して色属性を割り当てて、日境界を越えたパラメータデータが区別されるようにする（ステップ２１６）。それからメニュー生成器は患者医療データおよびパラメータを含んでいる複合ウィンドウをデータを選択された日付に結び付けるタイムライン情報および色属性と一緒に表示する。
【００３０】
これまで説明してきたように、本発明のユーザインタフェース装置は従来より既存のメディカルチャートシステムに関連した問題点の多くを次のようにして克服している。すなわち、単一日（すなわち、２４時間の期間）を越えて拡がる医療パラメータデータを表示し、一方ユーザが所望日を選択できかつユーザがタイムライン上に表されている日々を迅速かつ容易に区別することができるようにするスクロール可能なウィンドウディスプレイを有しているユーザインタフェース装置を設けるのである。
【００３１】
図示されかつこれまで説明してきた実施例および形態は説明に供するためだけであって、当業者であれば発明の範囲を逸脱することなく種々の変形をインプリメントできることは勿論のことである。
【図面の簡単な説明】
【図１】
本発明の原理に従った、種々のデバイスを備えている通信ネットワークのブロック線図である。
【図２】
本発明のシステムのフローチャート図である。
【図３】
本発明の１つの観点による、医療パラメータデータをユーザによって選択可能なタイムラインに沿った表式フォーマットでどのように表示するかの１例の略図である。
【図４】
本発明の１つの観点による、医療パラメータデータをユーザによって選択可能なタイムラインに沿った図式フォーマットでどのように表示するかの１例の略図である。
【図５】
本発明に関連した機能性を有しているサーバーのブロック線図である。
【図１】
2004533662.tif 000003
【図２】
2004533662.tif 000004
【図３】
2004533662.tif 000005
【図４】
2004533662.tif 000006
【図５】
2004533662.tif 000007
【国際公開パンフレット】
2004533662.tif 000008
2004533662.tif 000009
2004533662.tif 000010
2004533662.tif 000011
2004533662.tif 000012
2004533662.tif 000013
2004533662.tif 000014
2004533662.tif 000015
2004533662.tif 000016
2004533662.tif 000017
2004533662.tif 000018
2004533662.tif 000019
2004533662.tif 000020
2004533662.tif 000021
2004533662.tif 000022
2004533662.tif 000023
2004533662.tif 000024
2004533662.tif 000025
2004533662.tif 000026
2004533662.tif 000027
2004533662.tif 000028
2004533662.tif 000029
2004533662.tif 000030
2004533662.tif 000031
2004533662.tif 000032
2004533662.tif 000033
2004533662.tif 000034
2004533662.tif 000035
2004533662.tif 000036
2004533662.tif 000037
2004533662.tif 000038
【国際公開パンフレット（コレクトバージョン）】
2004533662.tif 000039
【国際公開パンフレット（コレクトバージョン）】
2004533662.tif 000040
2004533662.tif 000041
2004533662.tif 000042
2004533662.tif 000043
2004533662.tif 000044
2004533662.tif 000045
2004533662.tif 000046
2004533662.tif 000047
2004533662.tif 000048
2004533662.tif 000049
2004533662.tif 000050
2004533662.tif 000051
2004533662.tif 000052
2004533662.tif 000053
2004533662.tif 000054
2004533662.tif 000055
2004533662.tif 000056
2004533662.tif 000057
2004533662.tif 000058
2004533662.tif 000059
2004533662.tif 000060
2004533662.tif 000061
2004533662.tif 000062
2004533662.tif 000063
2004533662.tif 000064
2004533662.tif 000065
2004533662.tif 000066
2004533662.tif 000067
2004533662.tif 000068
2004533662.tif 000069
2004533662.tif 000070
【国際調査報告】
2004533662.tif 000071
2004533662.tif 000072
2004533662.tif 000073
2004533662.tif 000074